(57)【要約】【課題】  住宅用のサッシ枠にアタッチメントを取り付けてビルに用いることを可能にしたもので、アタッチメントを取り付けてもサッシ枠が内外周方向に厚くならず、さらにアタッチメントの取付作業が容易なサッシを提供する。【解決手段】  住宅用のサッシ枠と、サッシ枠の外周側に取り付けたアタッチメントとを備え、サッシ枠は、外周側に延出した折り取り自在な取付片を折り取ってあり、外周側に被係合部を有し、アタッチメントは、中実の胴部と、胴部に設けたアンカー取付部、止水部材、係合部及びネジ止め部とを有し、アンカー取付部は、胴部の外周側に位置しており、止水部材及び係合部は、胴部の内周側に位置しており、ネジ止め部は、止水部材よりも室内側に位置しており、サッシ枠の被係合部にアタッチメントの係合部が係合しており、止水部材がサッシ枠に当接しており、ネジ止め部にネジを挿通してアタッチメントをサッシ枠の外周側にネジ止めしてある。【選択図】      図１
2010144480.tif 000002
【特許請求の範囲】
【請求項１】
住宅用のサッシ枠と、サッシ枠の外周側に取り付けたアタッチメントとを備え、サッシ枠は、外周側に延出した折り取り自在な取付片を折り取ってあり、外周側に被係合部を有し、アタッチメントは、中実の胴部と、胴部に設けたアンカー取付部、止水部材、係合部及びネジ止め部とを有し、アンカー取付部は、胴部の外周側に位置しており、躯体固定用のアンカーを取り付けるためのものであり、止水部材及び係合部は、胴部の内周側に位置しており、ネジ止め部は、止水部材よりも室内側に位置しており、サッシ枠の被係合部にアタッチメントの係合部が係合しており、止水部材がサッシ枠に当接しており、ネジ止め部にネジを挿通してアタッチメントをサッシ枠の外周側にネジ止めしてあることを特徴とするサッシ。
【発明の詳細な説明】
【技術分野】
【０００１】
本発明は、住宅用のサッシ枠にアタッチメントを取り付けてビルに用いることを可能にしたサッシに関する。
【背景技術】
【０００２】
住宅用サッシとビル用サッシとではサッシ枠の構造が異なるので、住宅用サッシをそのままビルに用いることはできない。よって従来、住宅用サッシをビルに用いる場合には、障子のみを流用し、サッシ枠はビル専用のものを用いていた。しかし、複数の窓種に対応するには複数のビル専用のサッシ枠を用意する必要があり、費用が高くなってしまうことが問題であった。
そこで、特許文献１において、住宅用のサッシ枠の外周に補助枠及び取付金具を取り付け、取付金具を躯体開口部に設けたサッシ枠固定部材に固定するサッシの取付構造が提案されている。
【特許文献１】特開２００６−７０６０６号公報
【発明の開示】
【発明が解決しようとする課題】
【０００３】
しかしながら、特許文献１の取付構造では、住宅用のサッシ枠の外周側に延出する取付縁に中空の補助枠を取り付けているので、サッシ枠が内外周方向に厚くなってしまい、その分開口部が狭くなってしまう。また、補助枠と取付金具という二つの部材を取り付ける必要があり、作業が煩雑である。
【０００４】
本発明は、上記事情を鑑みたものであり、住宅用のサッシ枠にアタッチメントを取り付けてビルに用いることを可能にしたものであって、アタッチメントを取り付けてもサッシ枠が内外周方向に厚くならず、さらにアタッチメントの取付作業が容易なサッシを提供することを目的とする。
【課題を解決するための手段】
【０００５】
本発明は、住宅用のサッシ枠と、サッシ枠の外周側に取り付けたアタッチメントとを備え、サッシ枠は、外周側に延出した折り取り自在な取付片を折り取ってあり、外周側に被係合部を有し、アタッチメントは、中実の胴部と、胴部に設けたアンカー取付部、止水部材、係合部及びネジ止め部とを有し、アンカー取付部は、胴部の外周側に位置しており、躯体固定用のアンカーを取り付けるためのものであり、止水部材及び係合部は、胴部の内周側に位置しており、ネジ止め部は、止水部材よりも室内側に位置しており、サッシ枠の被係合部にアタッチメントの係合部が係合しており、止水部材がサッシ枠に当接しており、ネジ止め部にネジを挿通してアタッチメントをサッシ枠の外周側にネジ止めしてあることを特徴とする。
【発明の効果】
【０００６】
本発明によれば、アタッチメントを住宅用のサッシ枠の外周側に取り付けることで、サッシ枠にアンカー取付部を付加し、ビルの躯体開口部に取り付け可能となる。アタッチメントは胴部が中実であり薄く形成することができ、さらに、住宅用のサッシ枠の外周側に延出する取付片を折り取って取り付けることで、取り付け後のサッシ枠の内外周方向の厚さを薄くし、開口部を広くすることができる。また、アタッチメントの係合部をサッシ枠の被係合部に係合し、ネジ止め部にネジを挿通するだけで固定できるので、取付作業が容易である。
【発明を実施するための最良の形態】
【０００７】
以下、本発明の第一実施形態を図面に基づいて説明する。図１及び２は、住宅用サッシ１にアタッチメント２ａ，２ｂ，２ｃ，２ｄを取り付けて構成したサッシをＡＬＣ造のビルの躯体開口部に納めた状態を示しており、図３及び４は、そのサッシ枠１０及びアタッチメント２ａ，２ｂ，２ｃ，２ｄのみを抜き出して示している。なお、以下において、サッシ枠１０の上下左右それぞれで共通する部分には、共通の参照数字に符号ａ，ｂ，ｃ，ｄを付して表す。
住宅用サッシ１は、いわゆる引違窓であり、サッシ枠１０と、サッシ枠１０に納めた二枚の障子１１，１２とを備える。サッシ枠１０は、上枠１０ａ、下枠１０ｂ及び左右の縦枠１０ｃ，１０ｄを四方枠組みしたもので、上枠１０ａの内周側にはレール１３ａ，１４ａが、下枠１０ｂの内周側にはレール１３ｂ，１４ｂが形成してあり、障子１１，１２が摺動自在に嵌め込んである。
上枠１０ａの外周側には、室外側向きに延出する被係合部１５ａが形成してある。一方、下枠１０ｂ及び縦枠１０ｃ，１０ｄの外周側には、室外側端から室内側向きに延出する被係合部１５ｂ，１５ｃ，１５ｄが形成してある。なお、これらの被係合部１５ａ，１５ｂ，１５ｃ，１５ｄは、本来、上下左右に連続して窓を設ける連段窓として構成する場合に隣り合うサッシ枠同士を連結する連結材と係合する部分であり、本発明においてはそれをアタッチメント２ａ，２ｂ，２ｃ，２ｄとの係合に用いる。また、各枠１０ａ，１０ｂ，１０ｃ，１０ｄは、本来、外周側に延出する取付片１６ａ，１６ｂ，１６ｃ，１６ｄを有する。これは住宅用サッシを住宅の躯体開口部に取り付ける際に、躯体の室外側に当接させ、ネジ止めする部材で、折り取り自在であり、本発明においてはそれを折り取ってある。
次に、アタッチメントについては、上枠１０ａに取り付けるアタッチメント２ａについて説明し、それ以外については差異点のみを後述する。アタッチメント２ａは、室内外方向に延びる中実の胴部２０ａと、胴部２０ａに設けたアンカー取付部２１ａ、止水部材２２ａ，２３ａ、係合部２４ａ及びネジ止め部２５ａとを有する。アンカー取付部２１ａは、胴部２０ａの外周側に位置し、対向して開口する一対の溝部３０ａ，３１ａからなる。止水部材２２ａ，２３ａは、胴部２０ａの内周側の二箇所に設けてある。このうち室外側の止水部材２２ａは、胴部２０ａの室外側端に形成した取付溝３２ａに嵌め込んであり、内周側に延びている。一方、室内側の止水部材２３ａは、胴部２０ａの内周側に形成した取付溝３３ａに嵌め込んである。係合部２４ａは、胴部２０ａの内周側に位置し、略Ｌ字状で先端が室内側を向いている。ネジ止め部２５ａは、胴部２０ａの室内側端から室内側へ延びる固定片３４ａと、固定片３４ａに形成したネジ孔３５ａからなる。下枠１０ｂ及び左右の縦枠１０ｃ，１０ｄに取り付けるアタッチメント２ｂ，２ｃ，２ｄもほぼ同様の構成であるが、これらにおいては、係合部２４ｂ，２４ｃ，２４ｄが胴部２０ｂ，２０ｃ，２０ｄの内周側かつ室外側端に位置し、室外側に開口する略Ｕ字状で、室外側の止水部材２２ｂ，２２ｃ，２２ｄが、係合部２４ｂ，２４ｃ，２４ｄに嵌め込んである。よって、室外側の取付溝は存在しない。そして、ネジ止め部２５ｂ，２５ｃ，２５ｄの固定片３４ｂ，３４ｃ，３４ｄが内周側へ延びている。
なお、サッシ枠１０及びアタッチメント２ａ，２ｂ，２ｃ，２ｄは、何れもアルミニウムの押出形材である。
【０００８】
次に、サッシ枠とアタッチメントの固定方法について説明する。各枠１０ａ，１０ｂ，１０ｃ，１０ｄの被係合部１５ａ，１５ｂ，１５ｃ，１５ｄにアタッチメント２ａ，２ｂ，２ｃ，２ｄの係合部２４ａ，２４ｂ，２４ｃ，２４ｄを係合させ、ネジ止め部２５ａ，２５ｂ，２５ｃ，２５ｄのネジ孔３５ａ，３５ｂ，３５ｃ，３５ｄにネジ２６ａ，２６ｂ，２６ｃ，２６ｄを挿通してネジ止めする。この際、室外側の止水部材２２ａ，２２ｂ，２２ｃ，２２ｄ及び室内側の止水部材２３ａ，２３ｂ，２３ｃ，２３ｄが各枠１０ａ，１０ｂ，１０ｃ，１０ｄに当接して、ネジ孔３５ａ，３５ｂ，３５ｃ，３５ｄ等の連結部分から水が浸入するのを防ぐ。特に、下枠１０ｂ及び左右の縦枠１０ｃ，１０ｄにおいては、係合部２４ｂ，２４ｃ，２４ｄに止水部材２２ｂ，２２ｃ，２２ｄが嵌め込んであり、被係合部１５ｂ，１５ｃ，１５ｄが止水部材２２ｂ，２２ｃ，２２ｄを押圧するので、水密性が高い。
このようにして住宅用サッシ１のサッシ枠１０にアタッチメント２ａ，２ｂ，２ｃ，２ｄを取り付けることで、サッシ枠１０にアンカー取付部２１ａ，２１ｂ，２１ｃ，２１ｄを付加する。そして、このアンカー取付部２１ａ，２１ｂ，２１ｃ，２１ｄに係止したアンカー４０ａ，４０ｂ，４０ｃ，４０ｄを躯体５０に溶接して固定することで、住宅用サッシ１をビルの躯体開口部に取り付けることができる。この際、アタッチメント２ａ，２ｂ，２ｃ，２ｄは胴部２０ａ，２０ｂ，２０ｃ，２０ｄが中実であり薄く形成することができ、さらに、サッシ枠１０の外周側に延出する取付片１６ａ，１６ｂ，１６ｃ，１６ｄを折り取ってあるので、取り付け後のサッシ枠１０の内外周方向の厚さが薄く、開口部を広くすることができる。また、アタッチメント２ａ，２ｂ，２ｃ，２ｄの係合部２４ａ，２４ｂ，２４ｃ，２４ｄをサッシ枠１０の被係合部１５ａ，１５ｂ，１５ｃ，１５ｄに係合し、ネジ止め部２５ａ，２５ｂ，２５ｃ，２５ｄにネジ２６ａ，２６ｂ，２６ｃ，２６ｄを挿通するだけで固定できるので、取付作業が容易である。
【０００９】
続いて、本発明の第二実施形態を図面に基づいて説明する。図５及び６は、住宅用サッシ１にアタッチメント２ａ，２ｂ，２ｃ，２ｄを取り付けて構成したサッシをＲＣ造のビルの躯体開口部に納めた状態を示しており、図７及び８は、そのサッシ枠１０及びアタッチメント２ａ，２ｂ，２ｃ，２ｄのみを抜き出して示している。なお、住宅用サッシ１については第一実施形態と同じものであるから、説明を省略する。また、アタッチメント２ａ，２ｂ，２ｃ，２ｄについては、第一実施形態と異なる部分についてのみ説明する。
各アタッチメントのうち、上枠１０ａに取り付けるアタッチメント２ａにおいて、胴部２０ａ、アンカー取付部２１ａ及びネジ止め部２５ａは第一実施形態と同様である。係合部２４ａは、胴部２０ａの内周側に位置し、略Ｕ字状で室内側に向けて開口している。そして、止水部材２２ａは一箇所のみに設けてあり、係合部２４ａに嵌め込んである。また、下枠１０ｂに取り付けるアタッチメント２ｂにおいては、係合部２４ｂが胴部２０ｂの内周側かつ室外側端に位置し、略Ｌ字状で先端が室外側を向いており、係合部２４ｂに隣接して形成した取付溝３２ｂに止水部材２２ｂが嵌め込んである。さらに、左右の縦枠１０ｃ，１０ｄに取り付けるアタッチメント２ｃ，２ｄにおいては、係合部２４ｃ，２４ｄが胴部２０ｃ，２０ｄの室外側端に位置し、室外側に開口する略Ｕ字状で、止水部材２２ｃ，２２ｄが、係合部２４ｃ，２４ｄに嵌め込んである。
そして、サッシ枠とアタッチメントの固定方法についても第一実施形態と同様であり、特に、上枠１０ａ及び左右の縦枠１０ｃ，１０ｄにおいては、係合部２４ａ，２４ｃ，２４ｄに止水部材２２ａ，２２ｃ，２２ｄが嵌め込んであり、被係合部１５ａ，１５ｃ，１５ｄが止水部材２２ａ，２２ｃ，２２ｄを押圧するので、水密性が高い。
【００１０】
本発明は、上記の実施形態に限定されない。住宅用サッシの窓種はどのようなものであってもよく、サッシ枠の形状によって、アタッチメントの係合部やネジ止め部の位置等も変わり得る。また、アタッチメントは、それぞれ独立して上下左右の枠に固定するものであってもよいし、アタッチメント同士を連結して枠組みするものであってもよい。さらに、サッシ枠及びアタッチメントは、アルミニウム以外の金属や樹脂からなるものであってもよい。なお、上記二つの実施形態は、それぞれＡＬＣ造、ＲＣ造のビルのみに対応するものではなく、第一実施形態のサッシをＲＣ造のビルに、第二実施形態のサッシをＡＬＣ造のビルに用いてもよい。
【図面の簡単な説明】
【００１１】
【図１】第一実施形態の縦断面図である（ＡＬＣ納まり）。
【図２】第一実施形態の横断面図である（ＡＬＣ納まり）。
【図３】図１中のサッシ枠及びアタッチメントの拡大図である（（ａ）は上枠、（ｂ）は下枠）。
【図４】図２中のサッシ枠及びアタッチメントの拡大図である（（ａ）は左枠、（ｂ）は右枠）。
【図５】第二実施形態の縦断面図である（ＲＣ納まり）。
【図６】第二実施形態の横断面図である（ＲＣ納まり）。
【図７】図５中のサッシ枠及びアタッチメントの拡大図である（（ａ）は上枠、（ｂ）は下枠）。
【図８】図６中のサッシ枠及びアタッチメントの拡大図である（（ａ）は左枠、（ｂ）は右枠）。
【符号の説明】
【００１２】
２ａ，２ｂ，２ｃ，２ｄ  アタッチメント
１０  サッシ枠
１５ａ，１５ｂ，１５ｃ，１５ｄ  被係合部
１６ａ，１６ｂ，１６ｃ，１６ｄ  取付片
２０ａ，２０ｂ，２０ｃ，２０ｄ  胴部
２１ａ，２１ｂ，２１ｃ，２１ｄ  アンカー取付部
２２ａ，２２ｂ，２２ｃ，２２ｄ，２３ａ，２３ｂ，２３ｃ，２３ｄ  止水部材
２４ａ，２４ｂ，２４ｃ，２４ｄ  係合部
２５ａ，２５ｂ，２５ｃ，２５ｄ  ネジ止め部
２６ａ，２６ｂ，２６ｃ，２６ｄ  ネジ
４０ａ，４０ｂ，４０ｃ，４０ｄ  アンカー
【図１】
2010144480.tif 000003
【図２】
2010144480.tif 000004
【図３】
2010144480.tif 000005
【図４】
2010144480.tif 000006
【図５】
2010144480.tif 000007
【図６】
2010144480.tif 000008
【図７】
2010144480.tif 000009
【図８】
2010144480.tif 000010